(57)【要約】【課題】  他人に携帯電話装置を使用される機会を減らす。【解決手段】  複数のロック方法を有する携帯電話装置において、暗証番号の入力によりロックをオンオフする機能を有効とすると（Ｓ２ステップのＹ）、暗証番号の入力によりロックをオンオフする機能を有効にすると共に他のロック機能は無効にする（Ｓ３ステップ）、一方、遠隔操作によりロックをオンオフする機能を有効すると（Ｓ２ステップのＮ）、遠隔操作によりロックをオンオフする機能を有効にすると共に他のロック機能は無効にする（Ｓ４ステップ）。【選択図】      図２
2007318303.tif 000002
【特許請求の範囲】
【請求項１】
複数のロック方法を備えた携帯電話装置であって、
前記複数のロック方法の内、１つのロック方法を使用可能に設定すると共に他のロック方法を使用不可能に設定可能な携帯電話装置。
【発明の詳細な説明】
【技術分野】
【０００１】
本発明は、ロック機能を備えた携帯電話装置に関する。
【背景技術】
【０００２】
従来の携帯電話装置には、携帯電話装置を紛失した際に他人に使用されるのを防ぐ為のロック機能を備えたものがある。このロック機能の設定をオンとすると、特定の暗証番号が入力されない限り、携帯電話装置を使用することができない機能である。尚、このロック機能として、キーの入力をロックする機能や、通話やメールの送受信をロックする機能や、電話帳の表示をロックする機能等がある。
【０００３】
又、このロック機能に関する技術も数多く提案されており、例えば特許文献１には、遠隔操作により電話装置をロック状態にする技術が記載されている。
【特許文献１】特開平１１−３２３６９号公報
【発明の開示】
【発明が解決しようとする課題】
【０００４】
ロックする方法としては、先ほど述べたように、暗証番号を入力方法や遠隔操作でロックする方法がある。このように複数のロック方法を備えた携帯電話装置では、ロック解除方法も複数存在することになり、その結果、他人にロック解除の機会を多く与えることになる。
【課題を解決するための手段】
【０００５】
本発明はこのような課題を解決するものであり、請求項１の携帯電話装置は、複数のロック方法を備えた携帯電話装置であって、前記複数のロック方法の内、１つのロック方法を使用可能に設定すると共に他のロック方法を使用不可能にすることを特徴とする。
【発明の効果】
【０００６】
本発明によれば、複数のロック方法の内１つのロック方法のみユーザが選択して使用可能であり、ユーザが一つのロック方法を選択して使用可能な状態にすると、他のロック方法は使用不可能な状態となる為、他人にロック解除の機会を多く与えることがない。
【発明を実施するための最良の形態】
【０００７】
次に、本発明の一実施形態に係る携帯電話装置について、図面を参照して説明する。
【０００８】
図１に示すように、携帯電話装置１０は、アンテナ１６と接続された電話通信部１２を備えている。この電話通信部１２は、後述のベースバンド部１４からの信号をアンテナ１６を介して基地局へ発信し、あるいはアンテナ１６を介して基地局からの電波を受信する。
【０００９】
また、電話通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００１０】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００１１】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００１２】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００１３】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００１４】
電話通信部１２、ベースバンド部１４、切替回路２２及びＧＰＳ通信部５８には、制御回路（制御部）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６は、ＲＯＭ３８と接続されており、ＲＯＭ３８に格納されているシステムプログラムに基づき各部を制御する。また、制御回路３６は、制御回路３６の動作に必要な所定の情報が記憶されているＲＡＭ４０と接続されている。
【００１５】
ＲＡＭ４０には、複数のロック方法（例えば、暗証番号の入力によるロック方法や、所定の端末からの着信が所定時間内に複数回あるとロックする方法等）のプログラムや、暗証番号や、前記所定の端末の電話番号等を格納する。又、複数のロック方法のうちどのロック方法のみを有効にするかといったデータも格納する。
【００１６】
また、制御回路３６には、入力部４４が接続されている。この入力部４４は、電話番号等の入力を行うテンキー４８と、通話の開始を操作する通話キー５０と、通話の終了を操作する切キー５２と、各種機能の設定を行う機能キー５４と、電源キー６４と、を有している。
【００１７】
また、制御回路３６には、バックライトである照明部４６が接続されている。
【００１８】
次に本実施携帯に係る携帯電話装置１０の動作について説明する。
【００１９】
図３は本実施例装置の設定動作を示すフロー図である。
【００２０】
尚、本実施例では、ロック機能として、暗証番号の入力による方法と、遠隔操作による方法（所定の宛先からの着信が所定時間内に所定回数あった場合にロックする方法）の２種類のロック方法を有している。
【００２１】
図３のＳ１ステップでは、制御回路３６は、ロック機能に優先順位をつける設定指示操作があると判定するとＳ２ステップへ処理を進め、そうでなければ、処理を終了する。
【００２２】
Ｓ２ステップでは、制御回路３６は、複数のロック機能のうち優先順位をつけるのが、暗証番号の入力によるロック方法であると判定すると、Ｓ３ステップへ処理を進め、そうでなければ、Ｓ４ステップへ処理を進める。
【００２３】
Ｓ３ステップでは、制御回路３６は、暗証番号の入力以外のロック方法を無効にし、暗証番号の入力によるロックのオンオフを可能にする設定情報をＲＡＭ４０に格納し、処理を終了する。
【００２４】
Ｓ４ステップでは、制御回路３６は、遠隔操作以外のロック方法を無効にし、遠隔操作によるロックのオンオフのみ可能にする設定情報をＲＡＭ４０に格納し、処理を終了する。
【００２５】
このようにして設定が終了する。この設定後は、Ｓ３ステップ又はＳ４ステップに格納されている設定情報に基づいて、制御回路３６は、暗証番号の入力又は遠隔操作によるロックのオンオフを可能な状態にする。
【００２６】
以上説明したように、本実施例装置では、複数のロックオンオフ方法を有する携帯電話装置において、ユーザが所望のロック方法のみ有効とする為、他人に携帯電話装置を悪用される機会を減らすことが可能である。
【００２７】
尚、本実施例装置では、ロック機能を２種類としたが、ロック機能を複数設け、予め設定したロック機能のみを有効とし、他のロック機能を無効とする構成としても良い。
【図面の簡単な説明】
【００２８】
【図１】本発明の一実施形態に係る携帯電話装置のブロック図である。
【図２】本発明の一実施形態に係る携帯電話装置の動作を示すフローチャートである。
【符号の説明】
【００２９】
１０      携帯電話装置
１２      電話送信部
３６      制御回路
４０      ＲＡＭ
４２      ディスプレイ
【図１】
2007318303.tif 000003
【図２】
2007318303.tif 000004